(57)【要約】【課題】身体情報を取得する無線通信装置で消費される電力を低減し、バッテリなどの電源を充電、交換などせずに使用できる期間を長くすることができる。【解決手段】管理対象１０１に装着された無線通信装置１により管理対象１０１の身体情報が取得される。身体情報を管理する管理サーバ２により、無線通信装置１へ身体情報の送信要求が送信され、無線通信装置１の受信専用の無線受信手段２２により身体情報１０１の送信要求が受信される。身体情報の送信要求の受信に対応して無線通信装置１の無線送信手段２１の電源がオンされ、その無線送信手段２１により身体情報が管理サーバ２へ送信され、管理サーバ２により身体情報が受信される。【選択図】　図１
2004129905.tif 000002
【特許請求の範囲】
【請求項１】
管理対象の身体情報を取得する身体情報取得手段と、上記身体情報取得手段により取得された上記身体情報を送信する無線送信手段と、上記身体情報の送信要求を受信する受信専用の無線受信手段と、上記無線受信手段により身体情報の送信要求が受信されると上記無線送信手段の電源をオンし上記身体情報を送信させ、送信後に上記無線送信手段の電源をオフする電源制御手段とを有し、上記管理対象に装着される無線通信装置と、
上記無線通信装置へ上記身体情報の送信要求を送信する送信手段と、上記無線通信装置から上記身体情報を受信する受信手段とを有する管理サーバと、
を備えることを特徴とする身体情報管理システム。
【請求項２】
前記管理サーバは、前記身体情報に基づいて、前記身体情報の送信要求を送信する時間間隔を制御するサーバ側制御手段を有することを特徴とする請求項１記載の身体情報管理システム。
【請求項３】
前記サーバ側制御手段は、前記身体情報が所定の条件を満足すると、前記身体情報の送信要求の送信時間間隔を短くすることを特徴とする請求項２記載の身体情報管理システム。
【請求項４】
前記無線通信装置の前記電源制御手段は、前記無線受信手段により前記身体情報の送信要求が受信されると前記身体情報取得手段の電源をオンし、前記身体情報取得手段に前記身体情報を取得させ、取得後に前記身体情報取得手段の電源をオフすることを特徴とする請求項１記載の身体情報管理システム。
【請求項５】
前記無線通信装置の前記無線送信手段は、前記身体情報取得手段により複数回の取得された身体情報をまとめて送信することを特徴とする請求項１記載の身体情報管理システム。
【請求項６】
前記無線通信装置の前記無線送信手段は、ＰＨＳを使用する無線機であることを特徴とする請求項１から請求項５のうちのいずれか１項記載の身体情報管理システム。
【請求項７】
前記無線通信装置の前記無線受信手段は、ページャシステムを使用する無線機であることを特徴とする請求項１から請求項６のうちのいずれか１項記載の身体情報管理システム。
【請求項８】
前記無線通信装置の前記身体情報取得手段は、前記管理対象の前記身体情報として、脈拍、血圧、体温、並びにペースメーカの制御情報および／または設定情報のうちの少なくとも１つを取得することを特徴とする請求項１から請求項７のうちのいずれか１項記載の身体情報管理システム。
【請求項９】
管理対象に装着される無線通信装置において、
管理対象の身体情報を取得する身体情報取得手段と、
上記身体情報取得手段により取得された上記身体情報を送信する無線送信手段と、
上記身体情報の送信要求を受信する受信専用の無線受信手段と、
上記無線受信手段により上記身体情報の送信要求が受信されると上記無線送信手段の電源をオンし上記身体情報を送信させ、送信後に上記無線送信手段の電源をオフする電源制御手段と、
を備えることを特徴とする無線通信装置。
【請求項１０】
管理対象の身体情報を取得する身体情報取得手段と、上記身体情報取得手段により取得された上記身体情報を送信する無線送信手段と、上記身体情報の送信時間間隔の情報を受信する受信専用の無線受信手段と、所定の時間間隔で上記無線送信手段の電源をオンし上記身体情報を送信させ、送信後に上記無線送信手段の電源をオフし、また上記身体情報を送信する時間間隔を、受信された送信時間間隔に変更する電源制御手段とを有し、上記管理対象に装着される無線通信装置と、
上記身体情報を受信する受信手段と、上記身体情報に基づいて、上記身体情報の送信時間間隔を決定する時間間隔決定手段と、上記身体情報の送信時間間隔の情報を送信する送信手段とを有する管理サーバと、
を備えることを特徴とする身体情報管理システム。
【請求項１１】
前記無線通信装置の前記電源制御手段は、前記無線送信手段とともに、前記時間間隔で前記身体情報取得手段の電源をオンし前記身体情報を取得させ、取得後に前記身体情報取得手段の電源をオフすることを特徴とする請求項１０記載の身体情報管理システム。
【請求項１２】
前記無線通信装置の前記無線送信手段は、前記身体情報取得手段により複数回の取得された身体情報をまとめて送信することを特徴とする請求項１０記載の身体情報管理システム。
【請求項１３】
前記無線通信装置の前記無線送信手段は、ＰＨＳを使用する無線機であることを特徴とする請求項１０から請求項１２のうちのいずれか１項記載の身体情報管理システム。
【請求項１４】
前記無線通信装置の前記無線受信手段は、ページャシステムを使用する無線機であることを特徴とする請求項１０から請求項１３のうちのいずれか１項記載の身体情報管理システム。
【請求項１５】
前記無線通信装置の前記身体情報取得手段は、前記管理対象の前記身体情報として、脈拍、血圧、体温、並びにペースメーカの制御情報および／または設定情報のうちの少なくとも１つを取得することを特徴とする請求項１０から請求項１４のうちのいずれか１項記載の身体情報管理システム。
【請求項１６】
管理対象に装着される無線通信装置において、
上記管理対象の身体情報を取得する身体情報取得手段と、
上記身体情報取得手段により取得された上記身体情報を送信する無線送信手段と、
上記身体情報の送信時間間隔の情報を受信する受信専用の無線受信手段と、
所定の時間間隔で上記無線送信手段の電源をオンし上記身体情報を送信させ、送信後に上記無線送信手段の電源をオフし、上記身体情報を送信する時間間隔を、受信された送信時間間隔に変更する電源制御手段と、
を備えることを特徴とする無線通信装置。
【請求項１７】
管理対象に装着された無線通信装置により上記管理対象の身体情報を取得するステップと、
上記身体情報を管理する管理サーバにより、上記無線通信装置へ、上記身体情報の送信要求を送信するステップと、
上記無線通信装置の受信専用の無線受信手段により上記身体情報の送信要求を受信するステップと、
上記身体情報の送信要求の受信に対応して上記無線通信装置の無線送信手段の電源をオンし、その無線送信手段により上記身体情報を上記管理サーバへ送信するステップと、
上記管理サーバにより上記身体情報を受信するステップと、
を備えることを特徴とする身体情報管理方法。
【請求項１８】
前記身体情報に基づいて、前記管理サーバから前記身体情報の送信要求を送信する時間間隔を制御するステップを備えることを特徴とする請求項１７記載の身体情報管理方法。
【請求項１９】
管理対象に装着された無線通信装置により上記管理対象の身体情報を取得するステップと、
所定の時間間隔で上記無線通信装置の無線送信手段の電源をオンし、その無線送信手段により上記身体情報を、上記身体情報を管理する管理サーバへ送信するステップと、
上記管理サーバにより上記身体情報を受信するステップと、
上記管理サーバにより、上記身体情報に基づいて、上記無線通信装置からの身体情報の送信時間間隔を決定するステップと、
上記管理サーバにより、決定した上記送信時間間隔の情報を上記無線通信装置へ送信するステップと、
上記無線通信装置の受信専用の無線受信手段により上記送信時間間隔を受信するステップと、
上記無線通信装置により、上記身体情報を送信する上記時間間隔を、受信した上記送信時間間隔に変更するステップと、
を備えることを特徴とする身体情報管理方法。
【発明の詳細な説明】
【０００１】
【発明の属する技術分野】
本発明は、管理対象の身体情報を取得し管理する身体情報管理システムおよび身体情報管理方法、並びにその身体情報管理システムおよび身体情報管理方法に使用される無線通信装置に関するものである。
【０００２】
【従来の技術】
従来の身体情報管理システムとしては、尿分析装置、血圧計などの測定手段により測定された身体情報（健康データ）を病院などの外部のサーバに送信し、健康管理を行うものがある（例えば、特許文献１参照）。
【０００３】
また、ユーザの体温を測定し、測定データを表示する電子体温計や、ユーザの血圧や脈拍を測定し、測定データを表示する電子血圧計が存在する。
【０００４】
【特許文献１】
特開２０００−８３９０８号公報（段落００２０〜００２９）
【０００５】
【発明が解決しようとする課題】
しかしながら、身体情報を測定する測定手段を有する無線通信装置をユーザなどの管理対象の身体に装着し無線通信を使用してその身体情報を外部のサーバへ送信する場合、無線通信装置の送信回路による電力消費に起因して、無線通信装置のバッテリの電力が短時間でなくなってしまうという問題がある。
【０００６】
本発明は、上記の問題に鑑みてなされたものであり、管理対象の身体情報を取得する無線通信装置で消費される電力を低減し、バッテリなどの電源を充電、交換などせずに使用できる期間を長くすることができる身体情報管理システムおよび身体情報管理方法、並びにその身体情報管理システムおよび身体情報管理方法に使用される無線通信装置を得ることを目的とする。
【０００７】
【課題を解決するための手段】
上記の課題を解決するために、本発明の身体情報管理システムは、管理対象に装着される無線通信装置と、管理サーバを備える。その無線通信装置は、管理対象の身体情報を取得する身体情報取得手段と、身体情報取得手段により取得された身体情報を送信する無線送信手段と、身体情報の送信要求を受信する受信専用の無線受信手段と、無線受信手段により身体情報の送信要求が受信されると無線送信手段の電源をオンし身体情報を送信させ、送信後に無線送信手段の電源をオフする電源制御手段とを有する。その管理サーバは、無線通信装置へ身体情報の送信要求を送信する送信手段と、無線通信装置から身体情報を受信する受信手段とを有する管理サーバとを有する。
【０００８】
この身体情報管理システムを利用すると、無線通信装置で消費される電力を低減し、バッテリなどの電源を充電、交換などせずに使用できる期間を長くすることができる。ひいては、バッテリなどの電源を充電、交換する頻度が減り、管理対象の身体情報をより定常的に取得することができる。
【０００９】
さらに、本発明の身体情報管理システムは、上記発明の身体情報管理システムに加え、管理サーバに、身体情報に基づいて、身体情報の送信要求を送信する時間間隔を制御するサーバ側制御手段を有するものである。
【００１０】
この身体情報管理システムを利用すると、管理対象の状況に応じた頻度で身体情報を取得しつつ、無線通信装置の消費電力を適切に低減することができる。
【００１１】
さらに、本発明の身体情報管理システムは、上記発明の身体情報管理システムのいずれかに加え、サーバ側制御手段が、身体情報が所定の条件を満足すると、身体情報の送信要求の送信時間間隔を短くするようにしたものである。
【００１２】
この身体情報管理システムを利用すると、無線通信装置の消費電力を低減しつつ、状況に応じて自動的に管理対象の健康状態をより細かく監視することができる。
【００１３】
さらに、本発明の身体情報管理システムは、上記発明の身体情報管理システムのいずれかに加え、無線通信装置の電源制御手段が、無線受信手段により身体情報の送信要求が受信されると身体情報取得手段の電源をオンし、身体情報取得手段に身体情報を取得させ、取得後に身体情報取得手段の電源をオフするようにしたものである。
【００１４】
この身体情報管理システムを利用すると、無線通信装置で消費される電力をより低減し、バッテリなどの電源を充電、交換などせずに使用できる期間をより長くすることができる。
【００１５】
さらに、本発明の身体情報管理システムは、上記発明の身体情報管理システムのいずれかに加え、無線通信装置の無線送信手段が、身体情報取得手段により複数回の取得された身体情報をまとめて送信するようにしたものである。
【００１６】
この身体情報管理システムを利用すると、無線通信装置による身体情報の送信頻度が減り、より消費電力を低減することができる。
【００１７】
さらに、本発明の身体情報管理システムは、上記発明の身体情報管理システムのいずれかに加え、無線通信装置の無線送信手段として、ＰＨＳを使用する無線機を有するものである。
【００１８】
この身体情報管理システムを利用すると、無線通信装置による身体情報の送信時の消費電力をより低減することができる。また、身体情報の送信時の電磁波による管理対象への影響を少なくすることができる。
【００１９】
さらに、本発明の身体情報管理システムは、上記発明の身体情報管理システムのいずれかに加え、無線通信装置の無線受信手段として、ページャシステムを使用する無線機を有するものである。
【００２０】
この身体情報管理システムを利用すると、管理サーバからの要求を受信するために待機している際の無線通信装置の消費電力を低減することができる。
【００２１】
さらに、本発明の身体情報管理システムは、上記発明の身体情報管理システムのいずれかに加え、無線通信装置の身体情報取得手段が、管理対象の身体情報として、脈拍、血圧、体温、並びにペースメーカの制御情報および／または設定情報のうちの少なくとも１つを取得するようにしたものである。
【００２２】
この身体情報管理システムを利用すると、管理対象の状況を正確に把握することができる。
【００２３】
本発明の無線通信装置は、管理対象に装着される無線通信装置であって、管理対象の身体情報を取得する身体情報取得手段と、身体情報取得手段により取得された身体情報を送信する無線送信手段と、身体情報の送信要求を受信する受信専用の無線受信手段と、無線受信手段により身体情報の送信要求が受信されると無線送信手段の電源をオンし身体情報を送信させ、送信後に無線送信手段の電源をオフする電源制御手段とを備える。
【００２４】
この無線通信装置を利用すると、無線通信装置での消費電力が低減され、バッテリなどの電源を充電、交換などせずに使用できる期間を長くすることができる。ひいては、バッテリなどの電源を充電、交換する頻度が減り、管理対象の身体情報をより定常的に取得することができる。
【００２５】
本発明の身体情報管理システムは、管理対象に装着される無線通信装置と、管理サーバとを備える。その無線通信装置は、管理対象の身体情報を取得する身体情報取得手段と、身体情報取得手段により取得された身体情報を送信する無線送信手段と、身体情報の送信時間間隔の情報を受信する受信専用の無線受信手段と、所定の時間間隔で無線送信手段の電源をオンし身体情報を送信させ、送信後に無線送信手段の電源をオフし、また身体情報を送信する時間間隔を、受信された送信時間間隔に変更する電源制御手段とを有する。その管理サーバは、身体情報を受信する受信手段と、身体情報に基づいて、身体情報の送信時間間隔を決定する時間間隔決定手段と、身体情報の送信時間間隔の情報を送信する送信手段とを有する。
【００２６】
この身体情報管理システムを利用すると、無線通信装置で消費される電力を低減し、バッテリなどの電源を充電、交換などせずに使用できる期間を長くすることができる。ひいては、バッテリなどの電源を充電、交換する頻度が減り、管理対象の身体情報をより定常的に取得することができる。また、この身体情報管理システムを利用すると、管理対象の状況に応じた頻度で身体情報を取得しつつ、無線通信装置の消費電力を適切に低減することができる。
【００２７】
さらに、本発明の身体情報管理システムは、上記発明の身体情報管理システムに加え、無線通信装置の電源制御手段が、無線送信手段とともに、その時間間隔で身体情報取得手段の電源をオンし身体情報を取得させ、取得後に身体情報取得手段の電源をオフするようにしたものである。
【００２８】
この身体情報管理システムを利用すると、無線通信装置で消費される電力をより低減し、バッテリなどの電源を充電、交換などせずに使用できる期間をより長くすることができる。
【００２９】
さらに、本発明の身体情報管理システムは、上記発明の身体情報管理システムのいずれかに加え、無線通信装置の無線送信手段が、身体情報取得手段により複数回の取得された身体情報をまとめて送信するようにしたものである。
【００３０】
この身体情報管理システムを利用すると、無線通信装置による身体情報の送信頻度が減り、より消費電力を低減することができる。
【００３１】
さらに、本発明の身体情報管理システムは、上記発明の身体情報管理システムのいずれかに加え、無線通信装置の無線送信手段として、ＰＨＳを使用する無線機を有する。
【００３２】
この身体情報管理システムを利用すると、無線通信装置による身体情報の送信時の消費電力をより低減することができる。また、身体情報の送信時の電磁波による管理対象への影響を少なくすることができる。
【００３３】
さらに、本発明の身体情報管理システムは、上記発明の身体情報管理システムのいずれかに加え、無線通信装置の無線受信手段として、ページャシステムを使用する無線機を有するものである。
【００３４】
この身体情報管理システムを利用すると、管理サーバからの要求を受信するために待機している際の無線通信装置の消費電力を低減することができる。
【００３５】
さらに、本発明の身体情報管理システムは、上記発明の身体情報管理システムのいずれかに加え、無線通信装置の身体情報取得手段が、管理対象の身体情報として、脈拍、血圧、体温、並びにペースメーカの制御情報および／または設定情報のうちの少なくとも１つを取得するようにしたものである。
【００３６】
この身体情報管理システムを利用すると、管理対象の状況を正確に把握することができる。
【００３７】
本発明の無線通信装置は、管理対象に装着される無線通信装置であって、管理対象の身体情報を取得する身体情報取得手段と、身体情報取得手段により取得された身体情報を送信する無線送信手段と、身体情報の送信時間間隔の情報を受信する受信専用の無線受信手段と、所定の時間間隔で無線送信手段の電源をオンし身体情報を送信させ、送信後に無線送信手段の電源をオフし、身体情報を送信する時間間隔を、受信された送信時間間隔に変更する電源制御手段とを備える。
【００３８】
この無線通信装置を利用すると、無線通信装置での消費電力が低減され、バッテリなどの電源を充電、交換などせずに使用できる期間を長くすることができる。ひいては、バッテリなどの電源を充電、交換する頻度が減り、管理対象の身体情報をより定常的に取得することができる。
【００３９】
本発明の身体情報管理方法は、管理対象に装着された無線通信装置により管理対象の身体情報を取得するステップと、身体情報を管理する管理サーバにより、無線通信装置へ、身体情報の送信要求を送信するステップと、無線通信装置の受信専用の無線受信手段により身体情報の送信要求を受信するステップと、身体情報の送信要求の受信に対応して無線通信装置の無線送信手段の電源をオンし、その無線送信手段により身体情報を管理サーバへ送信するステップと、管理サーバにより身体情報を受信するステップとを備える。
【００４０】
この身体情報管理方法を利用すると、身体情報を取得する無線通信装置で消費される電力を低減し、バッテリなどの電源を充電、交換などせずに使用できる期間を長くすることができる。ひいては、バッテリなどの電源を充電、交換する頻度が減り、管理対象の身体情報をより定常的に取得することができる。
【００４１】
本発明の身体情報管理方法は、上記発明の身体情報管理方法に加え、身体情報に基づいて、管理サーバから無線通信装置が身体情報の送信要求を送信する時間間隔を制御するステップを備える。
【００４２】
この身体情報管理方法を利用すると、管理対象の状況に応じた頻度で身体情報を取得しつつ、無線通信装置の消費電力を適切に低減することができる。
【００４３】
本発明の身体情報管理方法は、管理対象に装着された無線通信装置により管理対象の身体情報を取得するステップと、所定の時間間隔で無線通信装置の無線送信手段の電源をオンし、その無線送信手段により身体情報を、身体情報を管理する管理サーバへ送信するステップと、管理サーバにより身体情報を受信するステップと、管理サーバにより、身体情報に基づいて、無線通信装置からの身体情報の送信時間間隔を決定するステップと、管理サーバにより、決定した送信時間間隔を無線通信装置へ送信するステップと、無線通信装置の受信専用の無線受信手段により送信時間間隔を受信するステップと、無線通信装置により、身体情報を送信する時間間隔を、受信した送信時間間隔に変更するステップとを備える。
【００４４】
この身体情報管理方法を利用すると、身体情報を取得する無線通信装置で消費される電力を低減し、バッテリなどの電源を充電、交換などせずに使用できる期間を長くすることができる。ひいては、バッテリなどの電源を充電、交換する頻度が減り、管理対象の身体情報をより定常的に取得することができる。
【００４５】
【発明の実施の形態】
以下、図に基づいて本発明の実施の形態を説明する。
【００４６】
実施の形態１．
図１は、本発明の実施の形態１に係る身体情報管理システムの構成を示すブロック図である。図１において、無線通信装置１は、管理対象１０１に装着され、管理対象１０１の身体情報を取得し、待機時には送信用の無線部２１の電源をオフしておき、身体情報を送信する場合のみ送信用の無線部２１の電源をオンし、身体情報１０１を管理サーバ２へ送信する装置である。
【００４７】
この実施の形態１では、無線通信装置１は、受信専用のページャ受信部２２により身体情報の送信要求が受信されると送信用の無線部２１の電源をオンし、身体情報１０１を管理サーバ２へ送信する。
【００４８】
なお、管理対象１０１には、幼児、小児、成人、老人などといった人の他、犬、猫などといった動物が含まれる。また、身体情報としては、脈拍数、血圧値、体温などの他、心臓のペースメーカが管理対象１０１に埋め込まれている場合には、そのペースメーカの制御情報や設定情報も含まれ、その他、可能な場合には、脳波の情報などを含めてもよい。
【００４９】
また、管理サーバ２は、管理対象１０１に装着された無線通信装置１からの身体情報を受信し、管理対象１０１ごとに身体情報を蓄積し、身体情報を解析することで管理対象１０１の健康状態を判定する装置である。
【００５０】
また、移動体通信網３は、基地局４を介して無線通信路を提供し、無線通信装置１の無線部２１が接続可能なデータ通信網である。
【００５１】
また、公衆網５は、移動体通信網３、ページャシステム６などに接続された、公衆電話回線網などを含む通信網である。
【００５２】
また、ページャシステム６は、図示せぬページャ制御サーバなどを含み、ページャ宛の呼とともにそのページャ宛ての情報を受け取ると、その情報を基地局７を介してそのページャに送信する設備である。なお、この実施の形態１では、無線通信装置１のページャ受信部２２がページャとして機能している。
【００５３】
図２は、実施の形態１に係る身体管理システムにおける無線通信装置１の構成を示すブロック図である。なお、図中の実線は、信号の授受を表しており、図中の破線は、電源電力の供給を表している。図２において、無線部２１は、センサ部２３および制御部２４により取得された身体情報を送信する無線送信手段として機能する装置である。無線部２１は、高周波回路、変調回路、アンテナなどを有し、身体情報を電波として送信する。なお、この無線部２１としては、ＰＨＳ（Ｐｅｒｓｏｎａｌ　Ｈａｎｄｙ　ｐｈｏｎｅ　Ｓｙｓｔｅｍ　）用の無線機を使用することができる。また、その他のデータ通信可能な移動体電話機をこの無線部２１として使用することができる。ただし、管理対象への電磁波の影響を考慮すると、ＰＨＳ用の無線機を使用することが好ましい。
【００５４】
また、ページャ受信部２２は、受信専用の無線受信手段であって、管理サーバ２からの要求や情報を受信する装置である。実施の形態１においては、ページャ受信部２２は、身体情報の送信要求を受信する。
【００５５】
また、センサ部２３は、管理対象１０１の身体のいずれかの部位に接触し身体情報を検出する素子、装置などである。制御部２４は、センサ部２３により検出された身体情報を取得するとともに、無線部２１を制御して、その身体情報を送信させる回路である。この制御部２４は、シーケンス回路や、制御プログラムおよびその制御プログラムを実行するマイクロプロセッサとして実現可能である。なお、この実施の形態１では、センサ部２３および制御部２４により、管理対象の身体情報を取得する身体情報取得手段が構成されている。
【００５６】
また、記憶部２５は、身体情報やこの無線通信装置１の各種設定情報を記憶する装置である。この記憶部２５としては、半導体メモリなどが使用される。また、必要に応じて、記憶部２５には、不揮発性メモリが使用される。
【００５７】
また、入力装置２６は、管理対象１０１や管理対象１０１を管理する者により操作され、その操作に応じた信号を出力する装置である。入力装置２６としては、ボタン、キーなどのスイッチ類、連続値を入力するための可変抵抗器などが使用される。
【００５８】
また、表示装置２７は、必要に応じて、この無線通信装置１の設定情報や身体情報を表示する装置である。表示装置２７としては、液晶ディスプレイや発光ダイオードによるインジケータなどが使用される。
【００５９】
また、バッテリ２８は、この無線通信装置１内の各電子回路などに供給される電力を供給するための電源である。バッテリ２８としては、充電可能な蓄電池の他、乾電池などが使用される。
【００６０】
また、電源制御部２９は、この無線通信装置１内の各電子回路に対して電源電力を供給するか否かを制御する回路である。この実施の形態１においては、電源制御部２９は、ページャ受信部２２により身体情報の送信要求が受信されると、無線部２１の電源をオンし身体情報を送信させ、送信後に無線部２１の電源をオフする電源制御手段として機能する。
【００６１】
図３は、実施の形態１に係る身体管理システムにおける管理サーバ２の構成を示すブロック図である。図３において、ＣＰＵ４１は、不揮発性メモリ４３や記憶部４５に記憶された図示せぬサーバプログラムを実行し、後述の処理を実行する処理回路である。
【００６２】
また、メモリ４２は、サーバプログラムやＣＰＵ４１による処理におけるデータを一時的に記憶するＲＡＭといった半導体メモリである。
【００６３】
不揮発性メモリ４３は、管理サーバ２の起動時に使用されるデータやプログラムなどを予め記憶するＲＯＭといった半導体メモリである。
【００６４】
公衆網インタフェース４４は、公衆網５を介してデータ通信可能な通信インタフェース回路である。
【００６５】
記憶部４５は、各無線通信装置１のページャ受信部２２に関する情報を含むページャ管理テーブル５１、各無線通信装置１から得られた身体情報を含む身体情報テーブル５２を記憶する装置である。なお、この記憶部４５は、大容量の半導体メモリや磁気記録媒体などとして実現される。
【００６６】
図４は、実施の形態１におけるページャ管理テーブル５１の一例を示す図である。このページャ管理テーブル５１には、図４に示すように、各ページャ受信部２２について、ページャ受信部２２の識別情報であるページャＩＤ、ページャ受信部２２の所有者（すなわち、無線通信装置１の所有者）の識別情報である加入者ＩＤ、そのページャ受信部２２に固有のページャ番号、および異常検出時の連絡先である通知先情報（ここでは電話番号と電子メールアドレス）が登録されている。この連絡先は、管理対象１０１の身近な人物や、病院や、警備会社などとされる。
【００６７】
例えば、図４に示すページャ管理テーブル５１には、あるページャ受信部２２については、ページャＩＤ「ＰＩＤ１００２」、加入者ＩＤ「ＩＤ１２５８」、ページャ番号「０２０−ｘｘｘｘ−８２３７」、並びに通知先情報としての電話番号「０３−ｚｚｚｚ−９３８２」および電子メールアドレス「ｓｓｓ＠−−−．ｎｅ．ｊｐ」が登録されている。
【００６８】
図５は、実施の形態１における身体情報テーブル５２の一例を示す図である。この身体情報テーブル５２には、図５に示すように、複数の無線通信装置１から受信した各身体情報が、加入者ＩＤごとにまとめられ、加入者ＩＤに関連付けて、身体情報の受信日時とともに記録される。図５に示すように、この実施の形態１では、身体情報として、脈拍数、血圧値（血圧値の最小値と最大値）および体温が記録される。
【００６９】
例えば、図５に示す身体情報テーブル５２には、加入者ＩＤ「ＩＤ１２５８」の無線通信装置１から送信され管理サーバ２により受信された一連の身体情報が、受信日時に関連付けられて記録されている。例えば、２００２年１月１日の１０時０７分に受信された身体情報では、脈拍数が７２であり、血圧値が８０ｍｍＨｇ−１３０ｍｍＨｇであり、体温が３６．１度である。
【００７０】
次に、管理対象１０１への無線通信装置１の装着について説明する。
【００７１】
図６は、管理対象１０１への無線通信装置１の装着の一例を示す図である。図６に示す装着例では、無線通信装置１がリストバンド６１に設けられ、リストバンド６１により無線通信装置１のセンサ部２３が管理対象１０１の手首に密着されている。身体情報として血圧値を検出する場合には、リストバンド６１に測定部位を圧迫するカフが設けられ、そのカフ内の圧力を制御する回路および圧力センサがセンサ部２３に設けられる。さらに、身体情報として脈拍数を検出する場合には、脈波を検出する脈波センサがセンサ部２３に設けられる。さらに、身体情報として体温を検出する場合には、温度センサがセンサ部２３に設けられる。
【００７２】
図７は、管理対象１０１への無線通信装置１の装着の他の例を示す図である。図７に示す装着例では、無線通信装置１がアームバンド７１に設けられ、アームバンド７１により無線通信装置１のセンサ部２３が管理対象１０１の上腕に密着されている。身体情報として血圧値を検出する場合には、アームバンド７１に測定部位を圧迫するカフが設けられ、そのカフ内の圧力を制御する回路および圧力センサがセンサ部２３に設けられる。さらに、身体情報として脈拍数を検出する場合には、脈波を検出する脈波センサがセンサ部２３に設けられる。さらに、身体情報として体温を検出する場合には、温度センサがセンサ部２３に設けられる。
【００７３】
次に、上記システムの各装置の動作について説明する。図８は、実施の形態１に係る身体情報管理システムにおける管理サーバ２による身体情報送信要求の送信処理を説明するフローチャートである。図９は、実施の形態１に係る身体情報管理システムにおける管理サーバ２による身体情報の受信処理を説明するフローチャートである。図１０は、実施の形態１に係る身体情報管理システムにおける無線通信装置１の動作を説明するフローチャートである。
【００７４】
管理サーバ２は、ページャ管理テーブル５１に登録されている無線通信装置１のいずれかを順番に選択していき（ステップＳ１）、その無線通信装置１から身体情報を取得するタイミングであるか否かを判断する（ステップＳ２）。そして、管理サーバ２は、身体情報を取得するタイミングである無線通信装置１へ身体情報の送信要求を送信する（ステップＳ３）。
【００７５】
その際、管理サーバ２では、ＣＰＵ４１が、サーバプログラムに従って、各無線通信装置１から身体情報を取得するタイミングであるか否かを判断し、そのタイミングである無線通信装置１のページャ受信部２２のページャ番号を特定し、公衆網インタフェース４４を制御して、そのページャ番号へ発呼させ、その無線通信装置１のページャ受信部２２へ向けて身体情報の送信要求を送信させる。
【００７６】
その呼は、ページャシステム６に到達し、ページャシステム６は、その身体情報の送信要求を受け取ると、基地局７からそのページャ番号を有するページャ受信部２２へ向けて電波としてその身体情報の送信要求を送信させる。
【００７７】
一方、無線通信装置１では、ページャ受信部２２の電源は待機中でもオン状態とされており、ページャ受信部２２は、自己のページャ番号宛ての身体情報の送信要求を受信するまで待機している（ステップＳ２１）。そして、自己のページャ番号宛ての身体情報の送信要求を受信すると、その身体情報の送信要求がページャ受信部２２から電源制御部２９に供給される。電源制御部２９は、その送信要求を受け取ると、まず、バッテリ２８による電源電力を制御部２４（および必要に応じてセンサ部２３）へ供給して（ステップＳ２２）、身体情報を取得させる（ステップＳ２３）。その次に、電源制御部２９は、バッテリ２８による電源電力を無線部２１へ供給する（ステップＳ２４）。ここでは、制御部２４（および必要に応じてセンサ部２３）、無線部２１の順番に電源をオンしているが、両者の電源を同時にオンするようにしてもよい。
【００７８】
無線部２１に電源電力が供給されると、無線部２１は、制御部２４による制御に応じて、管理サーバ２への接続を試みる（ステップＳ２５）。そして、制御部２４は、管理サーバ２への接続が成功したか否かを監視し（ステップＳ２６）、管理サーバ２への接続が成功した場合には、取得した身体情報を管理サーバ２へ送信させる（ステップＳ２７）。そして、送信が完了した後に、電源制御部２９は、無線部２１、並びに制御部２４（および必要に応じてセンサ部２３）の電源をオフする（ステップＳ２８）。これにより、無線通信装置１は、待機状態に戻る（ステップＳ２１）。なお、身体情報を管理サーバ２へ送信する場合、無線通信装置１は、自己に固有の識別情報を身体情報に付加して送信する。この識別情報としては、例えば、ページャ受信部２２のページャ番号、加入者ＩＤなどを使用することができる。また、無線部２１に割り当てられている電話番号を使用するようにしてもよい。
【００７９】
なお、管理サーバ２への接続に失敗した場合には、電源制御部２９が、無線部２１、並びに制御部２４（および必要に応じてセンサ部２３）の電源をオフし（ステップＳ２８）、無線通信装置１は待機状態に戻る（ステップＳ２１）。
【００８０】
また、管理サーバ２は、身体情報の受信を監視しており（ステップＳ１１）、身体情報を受信すると、付加されている識別情報から無線通信装置１を特定し（ステップＳ１２）、その無線通信装置１に関連付けてその身体情報を記録する（ステップＳ１３）。その際、管理サーバ２では、ＣＰＵ４１が、サーバプログラムに従って、公衆網インタフェース４４による身体情報の受信を監視し、身体情報を受信すると、その無線通信装置１の加入者ＩＤに関連付けてその身体情報を身体情報テーブル５２に記録する。
【００８１】
そして、管理サーバ２は、今回受信した身体情報、あるいは今回および過去の身体情報を含めた身体情報の履歴を解析し（ステップＳ１４）、その解析結果に基づいて、管理対象１０１の健康状態に異常があるか否かを判定する（ステップＳ１５）。管理サーバ２は、異常がないと判定した場合には、そのまま待機状態（ステップＳ１１）に戻る。
【００８２】
一方、管理サーバ２は、異常があると判定した場合には、登録されている通知先にその旨を通知し（ステップＳ１６）、その後、待機状態（ステップＳ１１）に戻る。その際、管理サーバ２では、ＣＰＵ４１が、サーバプログラムに従って、ページャ管理テーブル５１から通知先情報として電話番号や電子メールアドレスを読み出し、公衆網インタフェース４４を制御してその電話番号へ電話によりその旨を通知したり、図示せぬコンピュータネットワークに接続し、電子メールアドレスへ電子メールによりその旨を通知したりする。
【００８３】
以上のように、上記実施の形態１によれば、管理対象１０１に装着される無線通信装置１では、センサ部２３および制御部２４が、管理対象１０１の身体情報を取得し、受信専用のページャ受信部２２が、身体情報の送信要求を受信し、電源制御部２９が、ページャ受信部２２により身体情報の送信要求が受信されると無線部２１の電源をオンし身体情報を送信させ、送信後に無線部２１の電源をオフする。一方、管理サーバ２は、公衆網インタフェース４４により、無線通信装置１へ身体情報の送信要求を送信し、無線通信装置１から身体情報を受信する。
【００８４】
これにより、無線通信装置１で消費される電力を低減し、バッテリ２８などの電源を充電、交換などせずに使用できる期間を長くすることができる。ひいては、バッテリ２８などの電源を充電、交換する頻度が減り、管理対象１０１の身体情報をより定常的に取得することができる。
【００８５】
また、上記実施の形態１によれば、無線通信装置１の電源制御部２９が、ページャ受信部２２により身体情報の送信要求が受信されると制御部２４（および必要に応じてセンサ部２３）の電源をオンし、制御部２４およびセンサ部２３に身体情報を取得させ、取得後に制御部２４（および必要に応じてセンサ部２３）の電源をオフする。
【００８６】
これにより、無線通信装置１で消費される電力をより低減し、バッテリ２８などの電源を充電、交換などせずに使用できる期間をより長くすることができる。
【００８７】
さらに、上記実施の形態１によれば、無線通信装置１の無線送信手段としてＰＨＳを使用する無線部２１を使用するので、無線通信装置１による身体情報の送信時の消費電力をより低減することができる。また、身体情報の送信時の電磁波による管理対象への影響を少なくすることができる。
【００８８】
さらに、上記実施の形態１によれば、無線通信装置１の無線受信手段として、ページャシステムを使用するページャ受信部２２を使用するので、管理サーバ２からの要求を受信するために待機している際の無線通信装置１の消費電力を低減することができる。
【００８９】
さらに、上記実施の形態１によれば、無線通信装置１のセンサ部２３および制御部２４が、管理対象１０１の身体情報として、脈拍、血圧、体温、並びにペースメーカの制御情報および／または設定情報のうちの少なくとも１つを取得する。これにより、管理対象１０１の状況を正確に把握することができる。
【００９０】
実施の形態２．
本発明の実施の形態２に係る身体情報管理システムは、さらに、身体情報の値に応じて、管理サーバ２が身体情報を取得する時間間隔を変更するようにしたものである。
【００９１】
なお、本発明の実施の形態２に係る身体情報管理システムにおける無線通信装置１は、実施の形態１の場合と同様のものである。
【００９２】
一方、本発明の実施の形態２に係る身体情報管理システムにおける管理サーバ２は、実施の形態１の場合の管理サーバ２に、身体情報の値に応じて、身体情報を取得する時間間隔を変更する機能を追加したものである。すなわち、管理サーバ２のＣＰＵ４１がサーバプログラムを実行することで、身体情報に基づいて、身体情報の送信要求を送信する時間間隔を制御するサーバ側制御手段が実現される。
【００９３】
実施の形態２に係る身体情報管理システムにおける管理サーバ２が記憶するページャ管理テーブル５１には、身体情報の送信要求を送信する時間間隔として、身体情報取得時間間隔が、無線通信装置１ごとに設定されている。
【００９４】
図１１は、実施の形態２におけるページャ管理テーブル５１の一例を示す図である。図１１に示すように、この実施の形態２におけるページャ管理テーブル５１には、各無線通信装置１に対応する各加入者ＩＤに関連付けて身体情報取得時間間隔が設定されている。
【００９５】
そして、実施の形態２に係る身体情報管理システムにおける管理サーバ２は、その身体情報取得時間間隔および身体情報テーブル５２の最も新しい受信日時から各無線通信装置１への身体情報の送信要求の送信タイミングを特定する機能、および受信した身体情報の値に基づいてこの身体情報取得時間間隔を変更する機能を有する。このような機能は、実施の形態１の場合の管理サーバ２用のサーバプログラムを変更することで実現可能である。
【００９６】
なお、実施の形態２に係る身体情報管理システムにおけるその他の構成要素については実施の形態１の場合と同様であるので、その説明を省略する。
【００９７】
次に、上記システムにおける管理サーバ２の動作について説明する。図１２は、実施の形態２に係る身体情報管理システムにおける管理サーバ２による身体情報の受信処理を説明するフローチャートである。なお、身体情報の送信要求を送信する際の管理サーバ２の動作は実施の形態１の場合と同様であるので、その説明を省略する。また、上記システムにおける無線通信装置１の動作は実施の形態１の場合と同様であるので、その説明を省略する。
【００９８】
管理サーバ２は、身体情報の受信を監視しており（ステップＳ４１）、身体情報を受信すると、実施の形態１と同様にして、付加されている識別情報から無線通信装置１を特定し（ステップＳ４２）、その無線通信装置１に関連付けてその身体情報を記録する（ステップＳ４３）。
【００９９】
そして、管理サーバ２は、今回受信した身体情報、または今回および過去の身体情報を含めた身体情報の履歴を解析し（ステップＳ４４）、その解析結果に基づいて、まず、管理対象１０１の健康状態に異常があるか否かを判定する（ステップＳ４５）。管理サーバ２は、異常があると判定した場合には、登録されている通知先にその旨を通知し（ステップＳ４６）、その後、待機状態（ステップＳ４１）に戻る。なお、通知先への通知の方法は、実施の形態１の場合と同様である。
【０１００】
一方、管理サーバ２は、異常がないと判定した場合には、次に、解析結果に基づいて、健康状態が要注意状態であるか否かを判定する（ステップＳ４７）。すなわち、管理サーバ２は、身体情報の値が平常値の範囲と異常値の範囲との中間の要注意の範囲内にあるか否かや身体情報の変動量などを考慮して、管理対象１０１の健康状態が要注意状態であるか否かを判定する。その際、管理サーバ２では、ＣＰＵ４１が、サーバプログラムに従って、そのような判定を行う。
【０１０１】
そして、管理対象１０１の健康状態が要注意状態であると判定した場合には、管理サーバ２は、身体情報取得時間間隔を短くするように変更し（ステップＳ４８）、その後、待機状態（ステップＳ４１）に戻る。これにより、次回の身体情報の送信要求の送信タイミングが早まることになる。その際、管理サーバ２では、ＣＰＵ４１が、サーバプログラムに従って、記憶部４５に記憶されたページャ管理テーブル５１におけるその管理対象１０１の無線通信装置１に対応する身体情報取得時間間隔の値を変更する。
【０１０２】
一方、管理対象１０１の健康状態が要注意状態ではないと判定した場合には、管理対象１０１の健康状態が平常状態であるので、管理サーバ２は、ページャ管理テーブル５１に現在設定されている身体情報取得時間間隔が所定の平常値であるか否かを判断し（ステップＳ４９）、その身体情報取得時間間隔が所定の平常値ではない場合には、その身体情報取得時間間隔を所定の平常値に変更する（ステップＳ５０）。ここでは、図１１に示すように、身体情報取得時間間隔の平常値は、６０分に設定されている。ただし、身体情報取得時間間隔の平常値は、６０分以外としてもよい。また、身体情報取得時間間隔の平常値は、管理対象１０１の種別に応じて設定されるようにしてもよい。なお、その身体情報取得時間間隔が所定の平常値である場合には、管理サーバ２は、そのまま待機状態（ステップＳ４１）に戻る。
【０１０３】
つまり、管理対象１０１の異常状態が検知された場合には、その旨の通知がなされ、要注意状態が検知された場合には、身体情報の取得時間間隔が狭められ、平常状態に復帰した場合には、身体情報の取得時間間隔が平常値に戻される。
【０１０４】
以上のように、上記実施の形態２によれば、管理サーバ２のＣＰＵ４１は、サーバプログラムに従って、身体情報に基づいて、身体情報の送信要求を送信する時間間隔を制御する。これにより、管理対象１０１の状況に応じた頻度で身体情報を取得しつつ、無線通信装置１の消費電力を適切に低減することができる。
【０１０５】
また、上記実施の形態２によれば、管理サーバ２のＣＰＵ４１が、サーバプログラムに従って、身体情報が所定の条件を満足すると、身体情報の送信要求の送信時間間隔を短くする。これにより、無線通信装置１の消費電力を低減しつつ、状況に応じて自動的に管理対象１０１の健康状態をより細かく監視することができる。
【０１０６】
実施の形態３．
本発明の実施の形態３に係る身体情報管理システムは、実施の形態１に係る身体情報管理システムにおいて、無線通信装置１が自律的に所定の時間間隔で身体情報を管理サーバ２に送信し、管理サーバ２が身体情報の解析結果に応じて身体情報の送信時間間隔を変更、設定する要求を無線通信装置１に送信するようにしたものである。
【０１０７】
なお、実施の形態３における管理サーバ２の基本的な構成は、実施の形態１の場合と同様であるので、その説明を省略する。ただし、実施の形態３における管理サーバ２は、身体情報の送信要求を送信しない。その代わりに、実施の形態３における管理サーバ２は、身体情報の解析結果に基づいて、必要に応じて、身体情報の送信時間間隔を変更させる要求を無線通信装置１のページャ受信部２２へ送信する。実施の形態１における管理サーバ２のサーバプログラムを変更することで、この実施の形態３における管理サーバ２を実現することができる。すなわち、ＣＰＵ４１がサーバプログラムを実行することで、身体情報に基づいて、身体情報の送信時間間隔を決定する時間間隔決定手段が実現される。
【０１０８】
図１３は、本発明の実施の形態３に係る身体情報管理システムにおける無線通信装置１の構成を示すブロック図である。図１３において、電源制御部２９Ａは、この無線通信装置１内の各電子回路に対して電源電力を供給するか否かを制御する回路である。この実施の形態３においては、電源制御部２９Ａは、所定の時間間隔で無線部２１の電源をオンし身体情報を送信させ、送信後に無線部２１の電源をオフし、また身体情報を送信する時間間隔を、ページャ受信部２２により受信された送信時間間隔に変更する電源制御手段として機能する。
【０１０９】
また、タイマ３１は、メモリ３２に記憶された時間間隔を計時し、時間間隔ごとに所定の信号を電力制御部２９Ａに出力するタイマ回路であり、メモリ３２は、身体情報の送信時間間隔を記憶するメモリである。なお、タイマ３１およびメモリ３２には、待機中も電源電力が供給されている。
【０１１０】
なお、図１３におけるその他の構成要素については実施の形態１の場合と同様であるので、その説明を省略する。
【０１１１】
また、実施の形態３に係る身体情報管理システムのその他の構成要素については実施の形態１の場合と同様であるので、その説明を省略する。
【０１１２】
次に、上記装置の動作について説明する。図１４は、実施の形態３に係る身体情報管理システムにおける無線通信装置１の動作を説明するフローチャートである。図１５は、実施の形態３に係る身体情報管理システムにおける管理サーバ２の動作を説明するフローチャートである。
【０１１３】
無線通信装置１は、内蔵のタイマ３１により身体情報を送信する時間間隔を計時しており、身体情報の送信タイミングになるか、その時間間隔の変更要求をページャ受信部２２により受信するまで待機する（ステップＳ６１，Ｓ７１）。その際、無線通信装置１では、電源制御部２９Ａが、タイマ３１からの送信タイミングを示す信号を受け取るか、ページャ受信部２２により送信時間間隔の変更要求が受信されるまで、無線部２１、制御部２４（およびセンサ部２３）などに電源電力を供給せずに待機している。
【０１１４】
そして、身体情報の送信タイミングになると、無線通信装置１は、実施の形態１の場合（ステップＳ２２〜Ｓ２８）と同様にして、身体情報の取得および送信の処理を行う（ステップＳ６２〜Ｓ６８）。
【０１１５】
また、この無線通信装置１のページャ番号宛ての身体情報の送信時間間隔の変更要求がページャ受信部２２により受信されると、その身体情報の送信時間間隔の変更要求がページャ受信部２２から電源制御部２９Ａに供給される。
【０１１６】
電源制御部２９Ａは、その身体情報の送信時間間隔の変更要求を受け取ると、その身体情報の送信時間間隔で、メモリ３２に記憶されている身体情報の送信時間間隔の値を更新する（ステップＳ７２）。これにより、タイマ３１により計時される時間間隔が変更され、身体情報の取得および送信の時間間隔が変更される。
【０１１７】
一方、管理サーバ２は、実施の形態１の場合（ステップＳ１１〜Ｓ１４）と同様に、身体情報を受信すると、その身体情報の送信元の無線通信装置１を特定し、その身体情報を記録するとともに、その身体情報を解析する（ステップＳ８１〜Ｓ８４）。
【０１１８】
そして、管理サーバ２は、その解析結果に基づいて、まず、管理対象１０１の健康状態に異常があるか否かを判定する（ステップＳ８５）。管理サーバ２は、異常があると判定した場合には、登録されている通知先にその旨を通知し（ステップＳ８６）、その後、待機状態（ステップＳ８１）に戻る。なお、通知先への通知の方法は、実施の形態１の場合と同様である。
【０１１９】
一方、管理サーバ２は、異常がないと判定した場合には、次に、解析結果に基づいて、健康状態が変化したか否かを判定する（ステップＳ８７）。その際、例えば、管理サーバ２は、身体情報の値が平常値の範囲および要注意の範囲のいずれかに入るかを判断し、前回の判断結果と比較して、身体情報の値が入る範囲に変化があったかなどを考慮して、管理対象１０１の健康状態が変化したか否かを判定する。その際、管理サーバ２では、ＣＰＵ４１が、サーバプログラムに従って、そのような判定を行う。
【０１２０】
そして、管理対象１０１の健康状態が変化したと判定した場合には、管理サーバ２は、その変化に応じた身体情報の送信時間間隔を決定し、その時間間隔へ送信時間間隔を変更させる要求を送信し（ステップＳ８８）、その後、待機状態（ステップＳ８１）に戻る。身体情報が平常の範囲から要注意の範囲へ変化した場合には、身体情報の送信時間間隔は短くされ、身体情報が要注意の範囲から平常の範囲へ変化した場合には、身体情報の送信時間間隔は長くされる。これにより、次回の身体情報の取得および送信のタイミングが、管理対象１０１の健康状態に応じて早くなったり遅くなったりする。
【０１２１】
以上のように、上記実施の形態３によれば、管理対象１０１に装着される無線通信装置では、センサ部２３および制御部２４が、管理対象１０１の身体情報を取得し、無線部２１が、センサ部２３および制御部２４により取得された身体情報を送信し、ページャ受信部２２が、身体情報の送信時間間隔を受信し、電源制御部２９Ａが、所定の時間間隔で無線部２１の電源をオンし身体情報を送信させ、送信後に無線部２１の電源をオフし、身体情報を送信する時間間隔を、ページャ受信部２２により受信された送信時間間隔に変更する。一方、管理サーバ２は、公衆網インタフェース４４により、身体情報を受信し、身体情報の送信時間間隔の設定情報を送信し、サーバプログラムを実行するＣＰＵ４１により、身体情報に基づいて、身体情報の送信時間間隔を決定する。
【０１２２】
これにより、無線通信装置１で消費される電力を低減し、バッテリ２８などの電源を充電、交換などせずに使用できる期間を長くすることができる。ひいては、バッテリ２８などの電源を充電、交換する頻度が減り、管理対象１０１の身体情報をより定常的に取得することができる。また、管理対象１０１の状況に応じた頻度で身体情報を取得しつつ、無線通信装置１の消費電力を適切に低減することができる。
【０１２３】
また、上記実施の形態３によれば、無線通信装置１の電源制御部２９Ａが、同様の時間間隔で制御部２４（および必要に応じてセンサ部２３）の電源をオンし身体情報を取得させ、取得後に制御部２４（および必要に応じてセンサ部２３）の電源をオフする。これにより、無線通信装置１で消費される電力をより低減し、バッテリ２８などの電源を充電、交換などせずに使用できる期間をより長くすることができる。
【０１２４】
さらに、上記実施の形態３によれば、無線通信装置１の無線送信手段として、ＰＨＳを使用する無線部２１を使用するので、無線通信装置１による身体情報の送信時の消費電力をより低減することができる。また、身体情報の送信時の電磁波による管理対象への影響を少なくすることができる。
【０１２５】
さらに、上記実施の形態３によれば、無線通信装置１の無線受信手段として、ページャシステムを使用するページャ受信部２２を使用するので、管理サーバ２からの要求を受信するために待機している際の無線通信装置１の消費電力を低減することができる。
【０１２６】
さらに、上記実施の形態３によれば、無線通信装置１のセンサ部２３および制御部２４が、管理対象１０１の身体情報として、脈拍、血圧、体温、並びにペースメーカの制御情報および／または設定情報のうちの少なくとも１つを取得する。これにより、管理対象１０１の状況を正確に把握することができる。
【０１２７】
実施の形態４．
本発明の実施の形態４に係る身体情報管理システムは、実施の形態３に係る身体情報管理システムにおいて、無線通信装置１が身体情報を解析し、身体情報を管理サーバ２へ送信する必要があると判断した場合のみ送信するようにしたものである。その他の各装置の構成および動作については実施の形態３と同様であるので、その説明を省略する。
【０１２８】
以上のように、上記実施の形態４によれば、身体情報の送信頻度をより低くでき、無線通信装置１の消費電力をより低減することができる。
【０１２９】
実施の形態５．
本発明の実施の形態５に係る身体情報管理システムは、ページャシステムのページャ制御サーバに管理サーバ２の機能を追加したものを管理サーバ２Ａとしたものである。図１６は、本発明の実施の形態５に係る身体情報管理システムの構成を示すブロック図である。図１６において、管理サーバ２Ａは、管理サーバ２と同様に機能するとともに、ページャ制御サーバを兼ねるサーバである。
【０１３０】
図１７は、実施の形態５に係る身体管理システムにおける管理サーバ２Ａの構成を示すブロック図である。図１７において、ページャインタフェース８１は、基地局７を介して特定のページャ受信部２２へ各種情報を送信可能な送信手段としての送信回路である。なお、図１７におけるその他の構成要素については実施の形態１の場合と同様であるので、その説明を省略する。
【０１３１】
なお、実施の形態５に係る身体情報管理システムにおけるその他の構成要素については、実施の形態１〜４のいずれかと同一とすればよく、その説明は省略する。
【０１３２】
以上のように、上記実施の形態５によれば、実施の形態１〜４のいずれかと同様の効果が得られる。
【０１３３】
なお、上述の各実施の形態は、本発明の好適な例であるが、本発明は、これらに限定されるものではなく、本発明の要旨を逸脱しない範囲において、種々の変形、変更が可能である。
【０１３４】
例えば、無線通信装置１に、管理対象１０１からのセンサ部２３の離脱を感知する着脱センサを設け、離脱時に、無線通信装置１が身体情報の取得および／または送信を行わないようにしたり、離脱の通知を管理サーバ２へ送信するようにしてもよい。
【０１３５】
また、入浴時や運動時を通知するための操作部を入力装置２６に設け、ユーザによりその操作部が操作された場合に、制御部２４は、無線部２１の電源をオンさせ、無線部２１を制御して、その旨を管理サーバ２へ通知するようにしてもよい。
【０１３６】
さらに、上記各実施の形態では、１回の測定による身体情報に基づいて身体情報の取得および／または送信の時間間隔を変更するようにしてもよいし、身体情報が所定の条件を満足することが所定回数連続した場合に変更するようにしてもよい。
【０１３７】
さらに、上記各実施の形態において、管理対象１０１が要注意状態から平常状態へ復帰した後も、所定の期間については、身体情報の取得および／または送信の時間間隔を狭めたままにしておくようにしてもよい。
【０１３８】
さらに、上記各実施の形態において、無線通信装置１が、複数回の取得された身体情報をまとめて管理サーバ２へ送信するようにしてもよい。それにより、無線通信装置１による身体情報の送信頻度が減り、より消費電力を低減することができる。
【０１３９】
【発明の効果】
本発明によれば、身体情報を取得する無線通信装置で消費される電力を低減し、バッテリなどの電源を充電、交換などせずに使用できる期間を長くすることができる。
【図面の簡単な説明】
【図１】図１は、本発明の実施の形態１に係る身体情報管理システムの構成を示すブロック図である。
【図２】図２は、実施の形態１に係る身体管理システムにおける無線通信装置の構成を示すブロック図である。
【図３】図３は、実施の形態１に係る身体管理システムにおける管理サーバの構成を示すブロック図である。
【図４】図４は、実施の形態１におけるページャ管理テーブルの一例を示す図である。
【図５】図５は、実施の形態１における身体情報テーブルの一例を示す図である。
【図６】図６は、管理対象への無線通信装置の装着の一例を示す図である。
【図７】図７は、管理対象への無線通信装置の装着の他の例を示す図である。
【図８】図８は、実施の形態１に係る身体情報管理システムにおける管理サーバによる身体情報送信要求の送信処理を説明するフローチャートである。
【図９】図９は、実施の形態１に係る身体情報管理システムにおける管理サーバによる身体情報の受信処理を説明するフローチャートである。
【図１０】図１０は、実施の形態１に係る身体情報管理システムにおける無線通信装置の動作を説明するフローチャートである。
【図１１】図１１は、実施の形態２におけるページャ管理テーブルの一例を示す図である。
【図１２】図１２は、実施の形態２に係る身体情報管理システムにおける管理サーバによる身体情報の受信処理を説明するフローチャートである。
【図１３】図１３は、本発明の実施の形態３に係る身体情報管理システムにおける無線通信装置の構成を示すブロック図である。
【図１４】図１４は、実施の形態３に係る身体情報管理システムにおける無線通信装置の動作を説明するフローチャートである。
【図１５】図１５は、実施の形態３に係る身体情報管理システムにおける管理サーバの動作を説明するフローチャートである。
【図１６】図１６は、本発明の実施の形態５に係る身体情報管理システムの構成を示すブロック図である。
【図１７】図１７は、実施の形態５に係る身体管理システムにおける管理サーバの構成を示すブロック図である。
【符号の説明】
１　無線通信装置
２，２Ａ　管理サーバ
２３　センサ部（身体情報取得手段）
２４　制御部（身体情報取得手段）
２１　無線部（無線送信手段）
２２　ページャ受信部（無線受信手段）
２９，２９Ａ　電源制御部（電源制御手段）
４１　ＣＰＵ（サーバ側制御手段、時間間隔決定手段）
４４　公衆網インタフェース（送信手段、受信手段）
８１　ページャインタフェース（送信手段）
１０１　管理対象
【図１】
2004129905.tif 000003
【図２】
2004129905.tif 000004
【図３】
2004129905.tif 000005
【図４】
2004129905.tif 000006
【図５】
2004129905.tif 000007
【図６】
2004129905.tif 000008
【図７】
2004129905.tif 000009
【図８】
2004129905.tif 000010
【図９】
2004129905.tif 000011
【図１０】
2004129905.tif 000012
【図１１】
2004129905.tif 000013
【図１２】
2004129905.tif 000014
【図１３】
2004129905.tif 000015
【図１４】
2004129905.tif 000016
【図１５】
2004129905.tif 000017
【図１６】
2004129905.tif 000018
【図１７】
2004129905.tif 000019